(57)【要約】 【課題】給餌時に水槽内動物が餌を食べる様子を従来水槽の場合よりも、近くで、十分観察できる動物観賞用水槽を提供する。【解決手段】水槽周側壁１１の少なくとも一部に外側へ膨出し、給餌用開口部３１を有する給餌部３を形成した動物観賞用水槽Ａ。給餌部３内に対して開口部３１を通して挿脱可能の餌籠４や、開口部３１に対して着脱可能の蓋体５を備えていてもよい。【選択図】図１１
2010068760.tif 000002
【特許請求の範囲】
【請求項１】
水槽周側壁の少なくとも一部に、外側へ膨出し、給餌用開口部を有する給餌部を形成したことを特徴とする動物観賞用水槽。
【請求項２】
前記給餌部内に対して前記給餌用開口部を通して挿脱可能の餌籠を備え、該餌籠は収容された餌の通過孔を有している請求項１記載の動物観賞用水槽。
【請求項３】
前記給餌用開口部に対して着脱可能の蓋体をさらに備えている請求項１又は２記載の動物観賞用水槽。
【発明の詳細な説明】
【技術分野】
【０００１】
本発明は、魚等の動物の飼育や観賞等に用いることができる動物観賞用水槽に関する。
【背景技術】
【０００２】
動物の飼育や観賞等に用いる水槽は、これまで種々のタイプのものが提案、開発され、実用に供されてきたが、基本的には、例えば、意匠登録第１０７０２４２号公報、意匠登録第１０７０２４３号公報等に記載されているように、周側壁と底壁とを有し、上端に開口を有するものである。
【０００３】
周側壁の上端には通常上枠が被着されていることが多く、その上枠に、或いは上枠が無いものは周側壁の上端部に直接的に、照明器具、水濾過器等が設けられ、また、水槽蓋体が配置されることもある。
【０００４】
いずれにしても、水槽内の魚等の動物への給餌は、水槽上端の開口から行われる。
水槽内に供給された餌は、水槽内の水中に広がり、水槽内動物はその餌の投入場所や水中での広がりに応じて観察者から離れた水槽中央へも、さらに遠い観察者とは反対側へも動きまわる。
【０００５】
【特許文献１】意匠登録第１０７０２４２号公報
【特許文献２】意匠登録第１０７０２４３号公報
【発明の開示】
【発明が解決しようとする課題】
【０００６】
しかしながら、このような給餌と動物の捕食行動では、動物が餌を食べる様子をつぶさに観察することは難しい場合がある。
水槽で動物を飼育、観察する人のなかには、給餌時に動物が餌を食べる様子をできるだけ近くで、つぶさに観察したいと願う人もいる。
【０００７】
そこで本発明は、給餌時に水槽内動物が餌を食べる様子を従来水槽の場合よりも、近くで、十分観察できる動物観賞用水槽を提供することを課題とする。
【課題を解決するための手段】
【０００８】
本発明は前記課題を解決するため、水槽周側壁の少なくとも一部に、外側へ膨出し、給餌用開口部を有する給餌部を形成した動物観賞用水槽を提供する。
【０００９】
ここで「動物」としては、代表例として熱帯魚等の魚を挙げることができるが、小さい亀等の魚以外の動物であってもよい。
【００１０】
本発明に係る水槽によると、給餌部へ給餌すると、水槽内動物が水槽全体に対して小さい限られた大きさの給餌部へ集まってきて補食するので、飼育者や観察者は給餌部に顔を近づけるなどして、動物が餌を食べる様子をできるだけ近くで、十分観察することができる。
【００１１】
また、水槽における餌を供給する部位を、この給餌部と定めておくことで、餌の水槽内水への徒な広がりを抑制することができる。
【００１２】
水槽内へ全体的に餌が広がることを一層抑制するために、本発明に係る水槽は、給餌部内に対して前記給餌用開口部を通して挿脱可能の餌籠をさらに備えていてもよい。該餌籠には、そこに収容する餌の通過孔を形成しておく。該餌通過孔としては、例えば、スリット状のもの、網目状のもの、これらの組み合わせ等を挙げることができる。
【００１３】
本発明に係る水槽は給餌部の給餌用開口部からの動物の飛び出し、水の飛び出し等を防止するために、給餌用開口部に対して着脱可能の蓋体を備えていてもよい。
【発明の効果】
【００１４】
以上説明したように本発明によると、給餌時に水槽内動物が餌を食べる様子を従来水槽の場合よりも、近くで、十分観察できる動物観賞用水槽を提供することができる。
【発明を実施するための最良の形態】
【００１５】
以下、本発明の実施形態について説明する。
図１から図６は本発明に係る動物観賞用水槽の１例Ａを示すもので、図１は水槽Ａの平面図、図２は水槽Ａの底面図、図３は水槽Ａの正面図、図４は水槽Ａの背面図、図５は水槽Ａの右側面図、図６は水槽Ａの左側面図である。図７は図１のＸ−Ｘ線に沿う断面図であり、図８は図１のＹ−Ｙ線に沿う断面図である。図９は水槽全体の斜視図である。
【００１６】
水槽Ａは、合成樹脂成形により水槽周側壁１１と底壁１２とを一体的に形成してなる透明な水槽本体１（図７参照）と、本体１の上端部に被着した上枠２とを主体とするものである。
【００１７】
水槽周側壁１１は水槽正面側の正面側壁部１１１、その左右に一体的に連続する左右の側壁部１１２、１１３及び該左右側壁部に一体的に連続する背面側壁部１１４からなっている。この周側壁１１に対して底壁部１２が一体的に形成されている。底壁部１２の下面には中央円形足部１２ａ及び四隅それぞれの隅足部１２ｂが一体的に形成されている。
【００１８】
周側壁１１のうち、正面側壁部１１１の右上部と右側壁部１１３の正面側上部とにわたる部分が外側へ向け膨出形成されており、この膨出形成された部位が給餌部３とされている。
【００１９】
上枠２は、合成樹脂成形により一体的に形成されており、上面に短く立ち上がる平面視（平面から見て）矩形状の部分２１とその内側に沿って形成された矩形状の棚部２２とを有しており、棚部２２の内側が開口２３となっており、水槽本体１の主開口部１０に対応している。
【００２０】
上枠２の矩形状の立ち上がり部分２１の外周には上面が平坦状に形成された外周部２４があり、外周部２４の一部は前記給餌部３の上側まで膨出し、略半円形の開口２４１を有している。開口２４１は給餌部３の給餌用開口部３１に対応している。上枠開口２４１は周縁棚２４２に囲まれている。棚２４２は平坦外周部２４より段落ちしている。
【００２１】
上枠２に現れているラインＬ１、Ｌ２等は模様ラインである。
上枠２には、略ラインＬ１に沿ってその内側に相当する部分の下面に溝Ｇ（図７、図８も参照）が形成されており、この溝Ｇが水槽本体１の上端部に嵌められ、そこに接着固定されている。
なお、水槽上枠２は本例では全体が合成樹脂成形で一体的に形成さているが、いくつかの部分に分けて形成し、その場合、例えば部分毎に色違いに形成する等して、これら部品を接合して上枠としてもよい。
【００２２】
この水槽Ａによると、図１０に例示するように、水槽本体１内に水Ｗと魚等の動物Ｆを入れて飼育、観賞等できる。
上枠２には図示を省略しているが、適当な照明器具、水槽内水Ｗの濾過器、水温計等を設けることができる。
【００２３】
水槽Ａによれば、給餌部３へ餌ｆを供給すると、水槽内動物Ｆが水槽全体に対して小さい限られた大きさの給餌部３へ集まってきて補食するので、飼育者や観察者は給餌部３に顔を近づけるなどして、動物Ｆが餌ｆを食べる様子を近くで、十分観察することができる。
【００２４】
また、水槽Ａにおける餌ｆを供給する部位を、この給餌部３と定めておくことで、餌ｆが水槽内水Ｗへ徒に広がることを抑制して、餌が徒に広がれば発生し易くなる水槽内の全体的汚染をそれだけ抑制することもできる。
【００２５】
水槽Ａ内へ全体的に餌が徒に広がることを一層抑制するために、水槽Ａは、給餌部３内に対して給餌用開口部３１を通して挿脱可能の餌籠４（図１１参照）を採用することができる。
【００２６】
餌籠４は、図１１に示すように、上端を開口し、周壁に縦方向の餌通過スリットＳを複数本形成した中空の倒立円錐形状の籠本体４１とその上端部から放射状に突出する３本のアーム４２とを有するものである。
【００２７】
餌籠４は、その本体４１を、給餌部３に対応する上枠２の略半円形の開口２４１及び給餌部３の開口部３１を通して給餌部３内に挿入するとともにアーム４２の自由端部を上枠開口２４１周縁の棚２４２に載置することで給餌部３にセットすることができ（図１２も参照）、給餌部３から取り外すこともできる。籠本体４１の上端開口から籠内へ餌を供給し、スリットＳから給餌部３内への餌通過を許しつつ給餌部３に集まる魚等の動物Ｆに給餌することができる。なお、餌籠は図示のものに限定されない。
【００２８】
給餌用開口部３１からの動物Ｆの飛び出し、水の飛び出し等を防止するために、開口部３１に対して着脱可能の蓋体５（図１１参照）を採用することもできる。
【００２９】
蓋体５は、本例では透明合成樹脂の成形により形成したもので、上面に摘まみ部５１を、下面周縁部に前記上枠開口２４１周縁の棚２４２に座る足部５２を有しており、足部には餌籠４のアーム４２との干渉を避ける切欠部５２１を形成してある。この蓋体５を餌籠４をセットした上から、棚２４２を用いて給餌部３に対して着脱できる（図１２も参照）。
【図面の簡単な説明】
【００３０】
【図１】本発明に係る動物観賞用水槽の１例の平面図である。
【図２】図１の水槽の底面図である。
【図３】図１の水槽の正面図である。
【図４】図１の水槽のの背面図である。
【図５】図１の水槽の右側面図である。
【図６】図１の水槽の左側面図である。
【図７】図１のＸ−Ｘ線に沿う断面図である。
【図８】図１のＹ−Ｙ線に沿う断面図である。
【図９】図１の水槽の斜視図である。
【図１０】図１の水槽の使用状態例を示す参考正面図である。
【図１１】図１の水槽とともに給餌部に対して着脱可能の餌籠及び蓋体を示す斜視図である。
【図１２】図１の水槽の給餌部に餌籠及び蓋体を装着した状態を示す平面図である。
【符号の説明】
【００３１】
Ａ  動物観賞用水槽
１  水槽本体
１０  主開口部
１１  水槽周側壁
１１１  正面側壁部
１１２  左側壁部                                                                １１３  右側壁部                                                                １１４  背面側壁部
１２  底壁部
１２ａ、１２ｂ  足部
２  上枠
２１  短く立ち上がる部分
２２  棚部
２３  開口
２４  外周部
２４１  開口
２４２  棚
３  給餌部
３１  給餌用開口部
Ｌ１、Ｌ２  模様ライン
Ｇ  溝
Ｗ  水
Ｆ  動物
４  餌籠
４１  籠本体
Ｓ  餌通過スリット
４２  アーム
ｆ  餌
５  蓋体
５１  摘まみ部
５２  足部
５２１  切欠部
【図１】
2010068760.tif 000003
【図２】
2010068760.tif 000004
【図３】
2010068760.tif 000005
【図４】
2010068760.tif 000006
【図５】
2010068760.tif 000007
【図６】
2010068760.tif 000008
【図７】
2010068760.tif 000009
【図８】
2010068760.tif 000010
【図９】
2010068760.tif 000011
【図１０】
2010068760.tif 000012
【図１１】
2010068760.tif 000013
【図１２】
2010068760.tif 000014